(57)【特許請求の範囲】
【請求項１】
複数のＧＰＳ衛星１０；
ホールカップ２１の位置に設置されて前記ＧＰＳ衛星１０から位置座標を受信し、ホールカップ位置情報に加工して送信する固定端末部２０；
前記ＧＰＳ衛星１０から位置座標を受信して使用者位置情報に加工し、前記固定端末部２０から送信されるホールカップ位置情報と使用者位置情報を比べて算出される距離情報をディスプレイする使用者端末部３０；
ティーショットゾーン内に設置され、予め設定された範囲内に接近した前記使用者端末部３０の端末固有番号が入力される場合、前記使用者端末部３０に前記固定端末部２０が設置されるホールカップ２１周辺の地形情報を送信する管理サーバー４０；
を含み、
前記固定端末部２０は複数で構成され、
前記管理サーバー４０は、予め設定された範囲内に接近した前記使用者端末部３０の端末固有番号が入力される場合、前記複数の固定端末部２０をディスプレイして選択される固定端末部が設置されたホールカップ２１周辺の地形情報を送信し、  
前記使用者端末部３０には、目標物を照準する接眼部材３１、前記接眼部材３１によって照準された目標物に向けてレーザーが照射されるレーザー照射部材３２、前記レーザー照射部材３２から照射されたレーザーが目標物によって反射されて受信されるレーザー受信部材３３、及び前記レーザー照射部材３２からレーザーが照射されるようにするボタン部材３４が含まれ、
前記使用者端末部３０は、前記使用者端末部３０の動きによって使用者位置情報をリアルタイムで修正し、前記リアルタイムで修正される使用者位置情報をホールカップ位置情報と比べて、リアルタイムで距離情報を修正してディスプレイし、前記使用者端末部３０は、前記使用者端末部３０が特定位置に位置した場合、前記ＧＰＳ衛星１０から位置座標を受信し、受信される手順によって複数の拠点位置情報に加工し、加工された前記複数の拠点位置情報を経路情報に加工して保存し、前記使用者端末部３０は、前記使用者端末部３０の動きによって数字がカウンティングされてディスプレイされるようにし、前記管理サーバー４０から送信される周辺地形情報を保存する第２保存部材３５に前記カウンティングされた数字が保存されるようにし、
前記固定端末部２０には、前記ＧＰＳ衛星１０から送信される位置座標が保存される第１保存部材２２、及び前記第１保存部材２２に保存された位置座標をホールカップ位置座標に加工する第１処理部材２３が含まれ、
前記使用者端末部３０には前記ＧＰＳ衛星１０から送信される位置座標、前記固定端末部２０から送信されるホールカップ位置情報、及び前記管理サーバー４０から送信される周辺地形情報が保存される第２保存部材３５、前記第１保存部材２２に保存された位置座標を使用者位置情報に加工し、前記ホールカップ位置情報と比べて距離情報を加工する第２処理部材３６、及び前記第２処理部材３６によって加工された距離情報をディスプレイするディスプレイ部材３７が含まれる
ことを特徴とするゴルフ場距離測定システム。
【請求項２】
前記使用者端末部３０は、
前記距離情報がディスプレイされる場合、前記固定端末部２０と使用者端末部３０の高さの差による高度情報を一緒にディスプレイさせる
請求項１に記載のゴルフ場距離測定システム。
【請求項３】
前記管理サーバー４０は、
予め設定された時間間隔で風向、風速、気圧、湿度及び降水量の中で少なくとも一つ以上が含まれる気象情報を受信し、予め設定された範囲内に接近した前記使用者端末部３０の端末固有番号が入力される場合、前記使用者端末部３０に前記気象情報を一緒に送信する
請求項１に記載のゴルフ場距離測定システム。
【発明の詳細な説明】
【技術分野】
【０００１】
本発明は、ゴルフ場距離測定システム及びこれを利用した測定方法に関する。
【０００２】
より詳しくは、ホールカップの位置に設置される固定端末部の位置情報と使用者が携帯する使用者端末部の位置情報を比べて算出される距離情報を使用者端末部にディスプレイさせることで、使用者がホールカップまでの距離を数値的に確認できるようにするゴルフ場距離測定システム及びこれを利用した測定方法に関する。
【背景技術】
【０００３】
一般に、ＧＰＳシステムは地球上の２０，２００Ｋｍ上空で６つの円軌道に沿って回っている２４個の衛星のうち、最小４個の衛星信号を受けて演算処理することにより、特定位置の緯度、経度、高度に対するデータを得ることである。
【０００４】
このようなＧＰＳ受信装置は１．５７５５２ＧＨｚの周波数帯域を有するＬ１搬送波によって伝達され、ＰＲＮコード（Ｐｓｅｕｄｏ―Ｒａｎｄｏｍ  Ｎｕｍｂｅｒ  Ｃｏｄｅ）とＣ／Ａコードが含まれる。
【０００５】
そして、地上のＧＰＳ受信装置は、このようなＧＰＳ信号を受信して前記コードを分析することで、自分の位置を容易に認識できるようにする。
【０００６】
よって、このようなＧＰＳシステムは、容易な位置認識性によって様々な技術分野で広く適用及び使用されている。
【０００７】
特に、ゴルフの場合、広い面積のゴルフ場でゴルフプレーヤーの肉眼でゴルフボールとホールとの間の距離、方向などを把握することは容易ではないため、ＧＰＳシステムの導入が大きく要求されている。
【０００８】
すなわち、ゴルフプレーヤーが携帯するＧＰＳ受信機にはゴルフ場の位置データが予め保存されていて、前記ＧＰＳ受信機はＧＰＳ衛星から受信されるＧＰＳ信号を受信して前記位置データと比べることで、ホールとゴルフプレーヤーの間の距離を演算するように構成されている。
【０００９】
これと係る技術の一つで、特許文献１にはＧＰＳ携帯端末機を利用したゴルフ場ホール距離測定装置及び方法が開示されている。
【００１０】
図１は、従来のＧＰＳ携帯端末機を利用したゴルフ場ホール距離測定装置及び方法を示す図面である。添付の図１を参照して従来のＧＰＳ携帯端末機を利用したゴルフ場ホール距離測定装置及び方法を説明すると、ゴルフ場で所望のホールまでの距離を測定することができることを特徴としている。
【００１１】
前記従来のＧＰＳ携帯端末機を利用したゴルフ場ホール距離測定装置及び方法を具体的に説明すると、ＧＰＳ携帯端末機１を利用したゴルフ場ホール距離測定装置において、受信されたＧＰＳ信号を利用して端末機の位置情報を演算する端末機位置演算部と、前記端末機位置演算部から演算された端末機の位置情報とホール位置情報を比較して特定ホールまでの距離を演算する距離測定演算部を備えるＧＰＳ携帯端末機１；及び前記ＧＰＳ携帯端末機１の接続を管理するデータ管理モジュールと、ゴルフ場の地理情報に関したデータを保存及び管理する情報データベースと、制御モジュールの制御下で前記ＧＰＳ携帯端末機１から要請した該当ゴルフ場の地理情報を検索して前記ＧＰＳ携帯端末機１に送信するデータ処理モジュールを備え、ゴルフ場の地理情報を提供する地理情報提供サーバー２を含む。
【００１２】
しかし、前記従来技術は、使用者が直接地理情報提供サーバー２から望む該当ゴルフ場の地理情報を検索して選択しなければならないため煩わしいという問題があり、現在該当ゴルフ場を使わない使用者も要請できるように構成されるので、複数の使用者が同一ゴルフ場の地理情報を要請する場合、送信速度などが低下するおそれがある問題がある。
【先行技術文献】
【特許文献】
【００１３】
【特許文献１】韓国公開特許公報第１０‐２００７‐００５７５５４号（２００７年０６月０７日）
【特許文献２】韓国登録特許公報第１０‐０４６７７２６号（２００５年０１月１３日）
【特許文献３】韓国登録特許公報第１０‐１００７８５４号（２０１２年０９月１２日）
【発明の概要】
【発明が解決しようとする課題】
【００１４】
本発明は、前記のような課題を解決するために案出されたもので、本発明で解決しようとする課題は、ホールカップの位置に設置される固定端末部の位置情報と使用者が携帯する使用者端末部の位置情報を比べて算出される距離情報が使用者端末部にディスプレイされるようにすることで、使用者がホールカップまでの距離を数値的に確認できるゴルフ場距離測定システム及びこれを利用した測定方法を提供することにある。
【課題を解決するための手段】
【００１５】
前記のような課題を解決するための本発明の一実施例によるゴルフ場距離測定システムは、複数のＧＰＳ衛星；ホールカップの位置に設置され、前記ＧＰＳ衛星から位置座標を受信し、ホールカップ位置情報に加工して送信する固定端末部；前記ＧＰＳ衛星から位置座標を受信して、使用者位置情報に加工し、前記固定端末部から送信されるホールカップ位置情報と使用者位置情報を比べて算出される距離情報をディスプレイする使用者端末部；及びティーショットゾーン内に設置され、予め設定された範囲内に接近した前記使用者端末部の端末固有番号が入力される場合、前記使用者端末部に前記固定端末部が設置されるホールカップの周辺地形情報を送信する管理サーバーを含むことを特徴とする。
【００１６】
また、前記固定端末部は複数で構成され、前記管理サーバーは、予め設定された範囲内に接近した前記使用者端末部の端末固有番号が入力される場合、前記複数の固定端末部をディスプレイして選択される固定端末部が設置されたホールカップの周辺地形情報を送信することを特徴とする。
【００１７】
また、前記使用者端末部は、前記距離情報がディスプレイされる場合、前記固定端末部と使用者端末部の高さの差による高度情報を一緒にディスプレイさせることを特徴とする。
【００１８】
また、前記管理サーバーは、予め設定された時間間隔で風向、風速、気圧、湿度及び降水量の中で少なくとも一つ以上が含まれる気象情報を受信し、予め設定された範囲内に接近した前記使用者端末部の端末固有番号が入力される場合、前記使用者端末部に前記気象情報を一緒に送信することを特徴とする。
【００１９】
また、前記使用者端末部には、目標物を照準する接眼部材；前記接眼部材で照準された目標物に向けてレーザーが照射されるレーザー照射部材；前記レーザー照射部材から照射されたレーザーが目標物によって反射されて受信されるレーザー受信部材；及び前記レーザー照射部材からレーザーが照射されるようにするボタン部材が含まれることを特徴とする。
【００２０】
また、前記使用者端末部は、前記使用者端末部の動きによって使用者位置情報をリアルタイムで修正し、前記リアルタイムで修正される使用者位置情報をホールカップ位置情報と比較して、リアルタイムで距離情報を修正してディスプレイすることを特徴とする。
【００２１】
また、前記使用者端末部は、前記使用者端末部が特定位置に位置した場合、前記ＧＰＳ衛星から位置座標を受信し、受信される手順によって複数の拠点位置情報に加工し、加工された前記複数の拠点位置情報を経路情報に加工して保存することを特徴とする。
【００２２】
また、前記使用者端末部は、前記使用者端末部の動きによって数字がカウンティングされ、ディスプレイされるようにすることを特徴とする。
【００２３】
また、前記ホールカップの位置に設置され、前記ホールカップの周辺地形を３次元模型情報に加工して前記使用者端末部に送信するライダー部がさらに含まれることを特徴とする。
【００２４】
一方、前記のような課題を解決するための本発明の一実施例によるゴルフ場距離測定方法は、複数のＧＰＳ衛星から固定端末部に位置座標が送信される第１送信段階；前記第１送信段階の位置座標を利用してホールカップ位置情報に加工する第１加工段階；複数のＧＰＳ衛星から使用者端末部に位置座標が送信される第２送信段階；前記第２送信段階の位置座標を利用して使用者位置情報に加工する第２加工段階；前記固定端末部から使用者端末部にホールカップ位置情報が送信される第３送信段階；前記固定端末部から送信されたホールカップ位置情報と使用者位置情報を比べて距離情報を算出する距離算出段階；及び前記距離算出段階で算出された距離情報をディスプレイするディスプレイ段階を含むことを特徴とする。
【００２５】
また、前記使用者端末部の位置座標が１０Ｍ以上移動された後、前記使用者端末部の位置座標が１分以上３Ｍ〜７Ｍ範囲を脱するか否かを判断する判断段階；及び前記判断段階で使用者端末部の位置座標が１分以上３Ｍ〜７Ｍ範囲を脱しない場合、前記複数のＧＰＳ衛星から使用者端末部に位置座標が送信され、前記使用者端末部が前記位置座標を利用して拠点位置情報に加工し、前記使用者端末部が加工された複数の拠点位置情報を経路情報に加工して保存する保存段階をさらに含むことを特徴とする。
【発明の効果】
【００２６】
本発明の一実施例によるゴルフ場距離測定システム及びこれを利用した測定方法によれば、ホールカップの位置に設置される固定端末部の位置情報と使用者が携帯する使用者端末部の位置情報を比べて算出される距離情報が使用者端末部にディスプレイされるようにすることで、使用者がホールカップまでの距離を数値で確認できるようにする効果がある。
【００２７】
また、本発明によれば、一つの管理サーバーで複数の固定端末部を管理するように構成され、設定された範囲に接近した使用者端末部の端末固有番号が入力される場合、所望のホールカップ周辺の地形情報を得られるように構成される効果がある。
【００２８】
また、本発明によれば、レーザーが照射されてから目標物によって反射されて受信される時間を測定し、目標物との距離を算出するレーザー距離測定部が備えられることで、ホールカップまでの距離ではない別途の距離も測定できるように構成される効果がある。
【図面の簡単な説明】
【００２９】
【図１】従来のＧＰＳ携帯端末機を利用したゴルフ場ホール距離測定装置及び方法を示す説明図
【図２】本発明によるゴルフ場距離測定システムを示す説明図
【図３】本発明によるゴルフ場距離測定システムの固定端末部を示すブロック図
【図４】本発明によるゴルフ場距離測定システムの使用者端末部を示すブロック図
【図５ａ】本発明によるゴルフ場距離測定システムのレーザー距離測定部を示す説明図
【図５ｂ】本発明によるゴルフ場距離測定システムのレーザー距離測定部を示す説明図
【図５ｃ】本発明によるゴルフ場距離測定システムの実施例を示す説明図
【図６】本発明によるゴルフ場距離測定方法を示すフローチャート
【発明を実施するための形態】
【００３０】
本発明は多様な変更を加えることができ、色々な実施例を有することができるので、特定実施例を図面に例示して詳細に説明する。しかし、これは本発明を特定実施形態に対して限定することではなく、本発明の思想及び技術範囲に含まれる全ての変更、均等物ないし代替物を含む。
【００３１】
ある構成要素が別の構成要素に「連結され」ていたり「接続され」ていると言及された時は、その別の構成要素に直接連結されていたり、または接続されていることもあるが、中間に別の構成要素が存在することもある。
【００３２】
一方、ある構成要素が別の構成要素に「直接連結され」ていたり「直接接続され」ていると言及された時は、中間に別の構成要素が存在しない。
【００３３】
本明細書で使われる用語は、単に特定の実施例を説明するために使われたもので、本発明を限定しようとする意図ではない。単数の表現は文脈上明らかに別の意味を有しない限り、複数の表現を含む。本出願において、「含む」または「有する」などの用語は、明細書上に記載された特徴、数字、工程、動作、構成要素、部品またはこれらを組み合わせたものが存在することを指定するもので、一つまたはそれ以上の別の特徴や数字、工程、動作、構成要素、部品またはこれらを組み合わせたものなどの存在または付加可能性を予め排除しない。
【００３４】
別に定義されない限り、技術的や科学的用語を含んで、ここで使われる全ての用語は本発明が属する技術分野における通常の知識を有する者によって一般的に理解されるものと同一な意味がある。一般的に使われる辞書に定義されているのと同じ用語は、関連技術の文脈上有する意味と一致する意味で解釈しなければならず、本出願で明白に定義しない限り、理想的や過度に形式的な意味で解釈されない。
【００３５】
以下、添付された図面を参照して本発明をより詳しく説明する。これに先立って、本明細書及び請求範囲に使われた用語や単語は通常的や辞書的な意味で限定して解釈されてはならず、発明者は自分の発明を最善の方法で説明するために用語の概念を適切に定義することができるという原則に基づいて、本発明の技術的思想に符合する意味と概念である。また、使われる技術用語及び科学用語において、別の定義がなければ、本発明が属する技術分野における通常の知識を有する者が通常理解している意味を有し、下記説明及び添付図面で本発明の要旨を不要に曖昧にする公知機能及び構成に対する説明は省略する。次に紹介される図面は、当業者に本発明の思想を充分伝達するために例として提供されるものである。よって、本発明は、以下に提示される図面に限定されず、他の形態で具体化されてもよい。また、明細書全体にわたって同一な参照番号は同一な構成要素を示す。図面の中で同一な構成要素は、できるだけ何処でも同一の符号で示している。
【００３６】
本発明は、ホールカップの位置に設置される固定端末部の位置情報と、使用者が携帯する使用者端末部の位置情報を比べて算出される距離情報が使用者端末部にディスプレイされるようにすることで、使用者がホールカップまでの距離を数値で確認できるようにするゴルフ場距離測定システムに関する。
【００３７】
以下、添付の図面を参照して本発明によるゴルフ場距離測定システムに対して詳しく説明する。
【００３８】
図２は本発明によるゴルフ場距離測定システムを示す図面で、図３は本発明によるゴルフ場距離測定システムの固定端末部を示すブロック図で、図４は本発明によるゴルフ場距離測定システムの使用者端末部を示すブロック図である。
【００３９】
添付の図２によれば、本発明のゴルフ場距離測定システムは、複数のＧＰＳ衛星１０、ホールカップ２１の位置に設置され、前記ＧＰＳ衛星１０から位置座標を受信して、ホールカップ位置情報に加工して送信する固定端末部２０、前記ＧＰＳ衛星１０から位置座標を受信し、使用者位置情報に加工して前記固定端末部２０から送信されるホールカップ位置情報と使用者位置情報を比べて算出される距離情報をディスプレイする使用者端末部３０、及びティーショットゾーン内に設置され、予め設定された範囲内に接近した前記使用者端末部３０の端末固有番号が入力される場合、前記使用者端末部３０に前記固定端末部２０が設置されるホールカップ２１周辺の地形情報を送信する管理サーバー４０を含み、前記ＧＰＳ衛星１０から位置座標を受信する固定端末部２０と使用者端末部３０は、前記複数のＧＰＳ衛星１０の中で少なくとも３個以上のＧＰＳ衛星から位置座標を受信するように構成されてもよい。
【００４０】
すなわち、前記管理サーバー４０は、予め設定された範囲に接近した使用者端末部３０に対してホールカップ２１周辺の地形情報を送信するように構成されてもよく、より詳しくは、前記管理サーバー４０は５〜１０Ｍ以内に接近した使用者端末部３０に対してホールカップ２１周辺の地形情報を送信するように構成されてもよい。
【００４１】
この時、前記固定端末部２０には前記ＧＰＳ衛星１０から送信される位置座標が保存される第１保存部材２２、及び前記第１保存部材２２に保存された位置座標をホールカップ位置座標に加工する第１処理部材２３が含まれてもよく、前記使用者端末部３０には前記ＧＰＳ衛星１０から送信される位置座標、前記固定端末部２０から送信されるホールカップ位置情報及び前記管理サーバー４０から送信される周辺地形情報が保存される第２保存部材３５、前記第１保存部材２２に保存された位置座標を使用者位置情報に加工し、前記ホールカップ位置情報と比べて距離情報を加工する第２処理部材３６、及び前記第２処理部材３６によって加工された距離情報をディスプレイするディスプレイ部材３７が含まれてもよい。
【００４２】
このような前記第１保存部材２２、第２保存部材３５、第１処理部材２３、第２処理部材３６及びディスプレイ部材３７などは、ＧＰＳを利用した距離測定技術分野で広く使われるものなので、詳しい説明は省略する。
【００４３】
また、前記固定端末部２０及び管理サーバー４０は複数で構成されてもよく、一つの固定端末部２０と一つの管理サーバー４０は一対で構成されてもよい。
【００４４】
例えば、前記使用者端末部３０が第１管理サーバー辺りに接近し、前記第１管理サーバーに使用者端末部３０の端末固有番号が入力された場合、前記第１管理サーバーは第１固定端末部が設置されるホールカップ２１周辺の地形情報を前記使用者端末部３０に送信するように構成され、前記使用者端末部３０が第２管理サーバー辺りに接近して前記第２管理サーバーに使用者端末部３０の端末固有番号が入力された場合、前記第２管理サーバーは第２固定端末部が設置されるホールカップ２１周辺の地形情報を前記使用者端末部３０に送信するように構成されるものである。
【００４５】
また、前記固定端末部２０は複数で構成されてもよく、前記管理サーバー４０は予め設定された範囲内に接近した前記使用者端末部３０の端末固有番号が入力される場合、前記複数の固定端末部２０をディスプレイして選択される固定端末部が設置されたホールカップ２１周辺の地形情報を送信することができる。
【００４６】
例えば、前記使用者端末部３０が前記管理サーバー４０辺りに接近して前記管理サーバー４０に使用者端末部３０の端末固有番号が入力された場合、前記管理サーバー４０は複数のホールカップ２１に設置された複数の固定端末部２０をディスプレイし、使用者によって選択される固定端末部２０が設置されたホールカップ２１周辺の地形情報が前記使用者端末部３０に送信されるように構成される。
【００４７】
つまり、一つの管理サーバー４０で複数の固定端末部２０を管理するように構成され、使用者が前記複数の固定端末部２０の中で所望の固定端末部２０を選択してホールカップ２１周辺の地形情報を得られる。
【００４８】
また、前記固定端末部２０の位置は、本発明で前記ホールカップ２１の位置と近いように旗竿の下部に備えられるものと図示しているが、実施例によって旗竿の上部に備えられるものに変形されてもよい。
【００４９】
前記使用者端末部３０は、前記距離情報がディスプレイされる場合、前記固定端末部２０と使用者端末部３０の高さの差による高度情報を一緒にディスプレイさせることができる。
【００５０】
このために、前記使用者端末部３０と固定端末部２０は、前記複数のＧＰＳ衛星１０の中で少なくとも４個以上のＧＰＳ衛星から位置座標を受信するように構成されてもよく、前記使用者端末部３０と固定端末部２０は前記少なくとも４個以上のＧＰＳ衛星から得た位置座標を高さ情報が含まれた使用者位置情報とホールカップ位置情報に加工することができる。
【００５１】
また、前記使用者端末部３０は、前記使用者端末部３０の動きによって使用者の位置情報をリアルタイムで修正し、前記リアルタイムで修正される使用者位置情報を前記ホールカップ位置情報と比較して、リアルタイムで距離情報を修正してディスプレイするように構成されてもよい。
【００５２】
つまり、前記使用者端末部３０を使用する使用者が止まらないで動く状態でも、前記使用者端末部３０を通じて前記固定端末部２０が設置されたホールカップ２１との距離がリアルタイムでディスプレイされるように構成される。
【００５３】
また、前記使用者端末部３０は、前記使用者端末部３０が特定位置に位置した場合、前記ＧＰＳ衛星１０から位置座標を受信し、受信される手順によって複数の拠点位置情報に加工し、加工された前記複数の拠点位置情報を一つの経路情報に加工して保存することができる。
【００５４】
この時、前記使用者端末部３０が複数の拠点位置情報に加工する位置座標の受信は、使用者が前記使用者端末部３０を通じて前記ＧＰＳ衛星１０に位置座標を要請する場合で構成されたり、前記使用者端末部３０が一気に長い距離を移動した場合、例えば、前記使用者端末部３０が１０Ｍ以上移動した後、１分以上３〜７Ｍ範囲を脱するように動かなかった場合と構成されてもよい。
【００５５】
すなわち、前記使用者端末部３０が移動する経路と前記使用者端末部３０が移動を止める地点を一つの経路情報に加工して保存することで、使用者が前記経路情報を通じて使用者本人の打球距離や、打球姿勢によるゴルフボールの回転などを把握することができ、経路分析などを通じて次に同じゴルフ場を訪問して同じコースを回る場合、より良い経路を開拓してみるようにする。
【００５６】
また、前記使用者端末部３０は、前記使用者端末部３０の動きによって数字がカウンティングされてディスプレイされるようにすることで、使用者が運動量を把握できるように構成され、好ましくは、前記運動量によるカロリー消耗量などが算出されてディスプレイされるように構成されてもよい。
【００５７】
この時、前記使用者端末部３０は、前記管理サーバー４０から送信される周辺地形情報を保存する第２保存部材３５に前記使用者の運動量やカロリー消耗量などを保存することで、使用者が本人の運動量やカロリー消耗量などを短期間または長期間にかけて管理しやすいように構成されてもよい。
【００５８】
前記管理サーバー４０は、予め設定された時間間隔で風向、風速、気圧、湿度及び降水量の中で少なくとも一つ以上が含まれる気象情報を受信するように構成されてもよく、予め設定された範囲内に接近した前記使用者端末部３０の端末固有番号が入力される場合、前記使用者端末部３０に前記気象情報を一緒に送信するように構成されてもよい。
【００５９】
つまり、前記使用者端末部３０は前記管理サーバー４０からホールカップ２１周辺の地形情報を受信する時、前記気象情報を一緒に受信してディスプレイされるようにする。
【００６０】
本発明のゴルフ場距離測定システムには、前記ホールカップ２１の位置に設置され、前記ホールカップ２１の周辺地形を３次元模型情報に加工して前記使用者端末部３０に送信するライダー部５０がさらに含まれてもよい。
【００６１】
この時、前記ライダー部５０は、レーザーを発射して散乱されたり反射されるレーザーが帰ってくる時間と強度、周波数の変化、偏光状態の変化などから測定対象物の距離と濃度、速度、形象など物理的性質を測定するものであって、レーダーと同一な方式で極超短波を利用して対象物までの往復時間を観測して距離を測定するように構成されてもよい。
【００６２】
このようなライダー部５０は、航空機または前記ＧＰＳ衛星などに搭載され、前記ホールカップ２１の周辺地形を作成するように構成されてもよい。
【００６３】
図５ａ及び図５ｂは、本発明によるゴルフ場距離測定システムのレーザー距離測定部を示す図面である。
【００６４】
添付の図５ａ及び図５ｂによれば、本発明の使用者端末部３０には、目標物を照準する接眼部材３１、前記接眼部材３１によって照準された目標物に向かってレーザーが照射されるレーザー照射部材３２、前記レーザー照射部材３２で照射されたレーザーが目標物によって反射されて受信されるレーザー受信部材３３、及び前記レーザー照射部材３２からレーザーが照射されるようにするボタン部材３４を含むことができる。
【００６５】
つまり、前記使用者端末部３０は、前記レーザー照射部材３２を通じて照射されたレーザーが目標物によって反射され、前記レーザー受信部材３３を通じて受信される時間を測定し、目標物との距離を算出するように構成されてもよい。
【００６６】
これによって、単純に前記使用者端末部３０と固定端末部２０までの距離だけでなく、使用者が望む地形までの距離などを測定することができて、戦略的な競技を進めるようになる。
【００６７】
実施例によって、前記接眼部材３１、レーザー照射部材３２、レーザー受信部材３３及びボタン部材３４は別途装置で構成され、前記使用者端末部３０に脱着できるように結合される形状で構成されてもよい。
【００６８】
図６は、本発明によるゴルフ場距離測定方法を示すフローチャートである。
【００６９】
添付の図６によれば、本発明のゴルフ場距離測定方法には、第１送信段階（Ｓ１０）、第１加工段階（Ｓ２０）、第２送信段階（Ｓ３０）、第２加工段階（Ｓ４０）、第３送信段階（Ｓ５０）、距離算出段階（Ｓ６０）及びディスプレイ段階（Ｓ７０）が含まれる。
【００７０】
前記第１送信段階（Ｓ１０）は、複数のＧＰＳ衛星１０から固定端末部２０に位置座標が送信される段階で、第１加工段階（Ｓ２０）は前記第１送信段階（Ｓ１０）の位置座標を利用してホールカップ位置情報に加工する段階であり、第２加工段階（Ｓ４０）は、前記第２送信段階（Ｓ２０）の位置座標を利用して使用者位置情報に加工する段階であり、第２送信段階（Ｓ３０）は、複数のＧＰＳ衛星１０から使用者端末部３０に位置座標が送信される段階である。
【００７１】
本発明では、第１送信段階（Ｓ１０）、第１加工段階（Ｓ２０）、第２送信段階（Ｓ３０）及び第２加工段階（Ｓ４０）が順に行われるものと図示及び説明しているが、実施例によって、前記複数のＧＰＳ衛星１０から前記固定端末部２０に位置座標が送信される第１送信段階（Ｓ１０）と前記複数のＧＰＳ衛星１０から前記使用者端末部３０に位置座標が送信される第２送信段階（Ｓ２０）は同時多発的に行われてもよい。また、前記第１送信段階（Ｓ１０）と第２送信段階（Ｓ３０）が同時に行われても良いように、前記第１送信段階（Ｓ１０）の位置座標を利用してホールカップ位置情報に加工する第１加工段階（Ｓ２０）と、前記第２送信段階（Ｓ２０）の位置座標を利用して使用者位置情報に加工する第２加工段階（Ｓ４０）も同時多発的に行われてもよい。
【００７２】
前記第３送信段階（Ｓ５０）は、前記固定端末部２０から使用者端末部３０にホールカップ位置情報が送信される段階で、前記距離算出段階（Ｓ６０）は、前記固定端末部２０に送信されたホールカップ位置情報と使用者位置情報を比べて距離情報を算出する段階で、前記ディスプレイ段階（Ｓ７０）は、前記距離算出段階（Ｓ６０）で算出された距離情報をディスプレイする段階である。
【００７３】
つまり、前記第１送信段階（Ｓ１０）、第１加工段階（Ｓ２０）及び第３送信段階（Ｓ５０）を経たホールカップ位置情報と、第２送信段階（Ｓ３０）及び第２加工段階（Ｓ４０）を経た使用者位置情報を比べて距離情報を算出してディスプレイすることで、使用者が使用者端末部３０と固定端末部２０との間の距離を確認できるようにする。
【００７４】
この時、本発明のゴルフ場距離測定方法には、前記使用者端末部３０の位置座標が１０Ｍ以上移動された後、前記使用者端末部３０の位置座標が１分以上３Ｍ〜７Ｍ範囲を脱するか否かを判断する判断段階（Ｓ８０）、及び前記判断段階（Ｓ８０）から使用者端末部３０の位置座標が１分以上３Ｍ〜７Ｍ範囲を脱しない場合、前記複数のＧＰＳ衛星１０から使用者端末部３０に位置座標が送信され、前記使用者端末部３０が前記位置座標を利用して拠点位置情報に加工し、前記使用者端末部３０が加工された複数の拠点位置情報を経路情報に加工して保存する保存段階（Ｓ９０）がさらに含まれてもよい。
【００７５】
つまり、前記使用者端末部３０の位置が変更される度に、ＧＰＳ衛星１０から位置座標を受信して拠点位置情報に加工し、複数の拠点位置情報を経路情報に加工して保存することで、使用者が前記経路情報を通じて使用者本人の打球距離や、打球姿勢によるゴルフボールの回転などを把握することができ、経路分析などを通じて次に同じゴルフ場を訪問して同じコースを回る場合、より良い経路を開拓してみるようにする。
【００７６】
以上、本発明によれば、ホールカップの位置に設置される固定端末部の位置情報と、使用者が携帯する使用者端末部の位置情報を比べて算出される距離情報が使用者端末部にディスプレイされるようにすることで、使用者がホールカップまでの距離を数値的に確認できるようにする効果がある。
【００７７】
以上の説明では、本発明の様々な実施例を提示して説明したが、本発明が必ずこれに限定されることではなく、本発明が属する技術分野における通常の知識を有する者であれば、本発明の技術的思想を脱しない範囲内で様々な置換、変形及び変更が可能である。
【符号の説明】
【００７８】
１０：ＧＰＳ衛星
２０：固定端末部
２１：ホールカップ
２２：第１保存部材
２３：第１処理部材
３０：使用者端末部
３１：接眼部材
３２：レーザー照射部材
３３：レーザー受信部材
３４：ボタン部材
３５：第２保存部材
３６：第２処理部材
３７：ディスプレイ部材
４０：管理サーバー
５０：ライダー部
【図１】
0006866534.tif 000002
【図２】
0006866534.tif 000003
【図３】
0006866534.tif 000004
【図４】
0006866534.tif 000005
【図５ａ】
0006866534.tif 000006
【図５ｂ】
0006866534.tif 000007
【図５ｃ】
0006866534.tif 000008
【図６】
0006866534.tif 000009